(57)【特許請求の範囲】
【請求項１】
釣竿立て具の立て具本体に着脱可能で、釣竿の所要箇所を保持または支持する釣竿立て具構成部材であって、
上記立て具本体に固定する手段と、
釣竿を保持または支持する手段と、
を備えており、
上記立て具本体に固定する手段は、山形鋼で形成された立て具本体が挿通可能な挿通部及び棒状体で形成された立て具本体が挿通可能な挿通部を含み、各挿通部は共用する部分を有することを特徴とする、
釣竿立て具構成部材。
【請求項２】
釣竿を保持または支持する手段が、釣竿の中間部を保持または支持できる構造であることを特徴とする、
請求項１記載の釣竿立て具構成部材。
【請求項３】
釣竿を保持または支持する手段が、釣竿の基端部を保持または支持できる構造であることを特徴とする、
請求項１記載の釣竿立て具構成部材。
【請求項４】
釣竿を保持または支持する手段に、釣竿が接触することによる釣竿の損傷を防止する手段を備えていることを特徴とする、
請求項１、２または３記載の釣竿立て具構成部材。
【請求項５】
釣竿を保持または支持する手段が、立て具本体に固定する手段に着脱可能であることを特徴とする、
請求項１、２、３または４記載の釣竿立て具構成部材。
【請求項６】
釣用発信機を着脱可能に取り付けるための手段を備えていることを特徴とする、
請求項１、２、３、４または５記載の釣竿立て具構成部材。
【請求項７】
釣竿立て具の立て具本体に着脱可能で、釣竿の所要箇所を保持または支持する釣竿立て具構成部材であって、
上記立て具本体に固定する手段と、
杭部材に固定する手段と、
上記立て具本体と杭部材の角度を調整する手段と、
を備えており、
上記立て具本体に固定する手段は、山形鋼で形成された立て具本体が挿通可能な挿通部及び棒状体で形成された立て具本体が挿通可能な挿通部を含み、各挿通部は共用する部分を有することを特徴とする、
釣竿立て具構成部材。
【請求項８】
地中に打ち込む杭部材と、
当該杭部材に角度調整可能に設けてある立て具本体と、
当該立て具本体に取り付けられる請求項１、２、３、４、５または６記載の釣竿立て具構成部材と、
を備えていることを特徴とする、
釣竿立て具。
【請求項９】
杭部材と立て具本体は、請求項７記載の釣竿立て具構成部材を介し連結されていることを特徴とする、
請求項８記載の釣竿立て具。
【発明の詳細な説明】
【０００１】
【発明の属する技術分野】
本発明は、釣竿立て具構成部材及びそれを使用した釣竿立て具に関するものである。更に詳しくは、魚が掛かったときなど釣竿を操作する際に釣用発信機が邪魔にならず、釣用発信機を取り付けるために釣竿自体に加工を施したり取着補助具を固着する必要がなく、保持または支持する釣竿の大きさや種類に合った受具に必要に応じて取り替えることができるようにしたものに関する。
【０００２】
【従来技術】
例えば夜間の釣りにおいては、一人の釣人が複数の釣竿を仕掛けることがあり、これら複数の釣竿のうち、どの釣竿に魚が掛かったかを報知することができる釣用発信機（例えば、特開平１０−１５０８９８号公報記載のもの）が従来より使用されている。
釣用発信機は、釣竿に取り付けてあるスピニングリールから引き出した釣糸を発信スイッチを作動させる部分に引っ掛けて取り付ける構造となっており、リールシートなどの固定手段により釣竿に取り付けてある。
【０００３】
また、釣竿を複数仕掛ける際には、通常、釣竿を保持または支持するための釣竿立て具が使用されている。釣竿立て具は、地面に突き刺したり据え付けたりして固定するようになっている。釣竿立て具は、釣竿の大きさや種類に合った、例えばＵ字状の受具を備えている。受具は立て具本体に固着されており、釣竿は受具に載置または嵌合することにより保持または支持される。
【０００４】
【発明が解決しようとする課題】
しかし、上記のようにして釣用発信機を釣竿に取り付ける場合、次のような課題があった。
（ａ）釣竿に釣用発信機を取り付けると、魚が掛かったときなど釣竿を操作する際に邪魔になり、作業性が著しく悪くなる。
（ｂ）釣用発信機を釣竿に取り付けるには、実際上は上記したリールシートの他に様々な構造の取着補助具が使用される。このため、釣竿自体に加工を施したり取着補助具を固着する必要があり、釣竿を傷付けてしまうことがあった。
（ｃ）釣竿立て具の受具は立て具本体に固着されているので、受具のみを取り替えることはできない。従って、大きさや種類が異なる様々な釣竿を使用するには、受具が異なる何種類もの釣竿立て具を予め用意しておく必要があり、嵩張るので運搬に不便であり、実用的ではなかった。
【０００５】
（本発明の目的）
本発明の第１の目的は、釣用発信機を取り付けることができ、魚がかかったときなど、釣竿立て具から釣竿を取り外して操作する際に釣用発信機が邪魔にならないようにして、作業性を向上させることができる、釣竿立て具構成部材及びそれを使用した釣竿立て具を提供することである。
第２の目的は、釣用発信機を取り付けるために釣竿自体に加工を施したり取着補助具を固着する必要がない、釣竿立て具構成部材及びそれを使用した釣竿立て具を提供することである。
第３の目的は、保持または支持する釣竿の大きさや種類に合った受具に必要に応じて取り替えることができ、かつコンパクトな釣竿立て具構成部材及びそれを使用した釣竿立て具を提供することである。
【０００６】
【課題を解決するための手段】
上記目的を達成するために講じた本発明の手段は次のとおりである。
第１の発明にあっては、
釣竿立て具の立て具本体に着脱可能で、釣竿の所要箇所を保持または支持する釣竿立て具構成部材であって、
上記立て具本体に固定する手段と、
釣竿を保持または支持する手段と、
を備えており、
上記立て具本体に固定する手段は、山形鋼で形成された立て具本体が挿通可能な挿通部及び棒状体で形成された立て具本体が挿通可能な挿通部を含み、各挿通部は共用する部分を有することを特徴とする、
釣竿立て具構成部材である。
【０００７】
第２の発明にあっては、
釣竿を保持または支持する手段が、釣竿の中間部を保持または支持できる構造であることを特徴とする、
第１の発明に係る釣竿立て具構成部材である。
【０００８】
第３の発明にあっては、
釣竿を保持または支持する手段が、釣竿の基端部を保持または支持できる構造であることを特徴とする、
第１の発明に係る釣竿立て具構成部材である。
【０００９】
第４の発明にあっては、
釣竿を保持または支持する手段に、釣竿が接触することによる釣竿の損傷を防止する手段を備えていることを特徴とする、
第１、第２または第３の発明に係る釣竿立て具構成部材である。
【００１０】
第５の発明にあっては、
釣竿を保持または支持する手段が、立て具本体に固定する手段に着脱可能であることを特徴とする、
第１、第２、第３または第４の発明に係る釣竿立て具構成部材である。
【００１１】
第６の発明にあっては、
釣用発信機を着脱可能に取り付けるための手段を備えていることを特徴とする、
第１、第２、第３、第４または第５の発明に係る釣竿立て具構成部材である。
【００１２】
第７の発明にあっては、
釣竿立て具の立て具本体に着脱可能で、釣竿の所要箇所を保持または支持する釣竿立て具構成部材であって、
上記立て具本体に固定する手段と、
杭部材に固定する手段と、
上記立て具本体と杭部材の角度を調整する手段と、
を備えており、
上記立て具本体に固定する手段は、山形鋼で形成された立て具本体が挿通可能な挿通部及び棒状体で形成された立て具本体が挿通可能な挿通部を含み、各挿通部は共用する部分を有することを特徴とする、
釣竿立て具構成部材である。
【００１３】
第８の発明にあっては、
地中に打ち込む杭部材と、
当該杭部材に角度調整可能に設けてある立て具本体と、
当該立て具本体に取り付けられる第１、第２、第３、第４、第５または第６の発明に係る釣竿立て具構成部材と、
を備えていることを特徴とする、
釣竿立て具である。
【００１４】
第９の発明にあっては、
杭部材と立て具本体は、第７の発明に係る釣竿立て具構成部材を介し連結されていることを特徴とする、
第８の発明に係る釣竿立て具である。
【００１５】
釣竿立て具構成部材及び立て具本体の材質は、十分な強度を有するものであれば特に限定するものではない。例えば、アルミニウムや鉄などの各種金属（合金を含む）、各種プラスチックや木、竹あるいはそれらを複合したものなどである。
また、棒状体の形状としては、丸棒（断面円形状）、角棒（断面六角形状、断面四角形状、断面三角形状など）があげられるが、これらに限定されるものではない。
【００１６】
釣竿の損傷を防止する手段としては、特に限定するものではないが、例えば柔らかい材質のものを被せる構造、ゴムや樹脂などを表面にコーティングする構造などである。
【００１７】
（作用）
（第１、第８の発明の作用）
第１の発明に係る釣竿立て具構成部材を使用した釣竿立て具は、釣竿を保持または支持する手段に様々なサイズのものを設定しておくことにより、必要に応じて保持または支持部のサイズが異なる釣竿立て具構成部材に取り替えることが可能である。従って、釣竿の大きさや種類の違いに対応した、より確実な保持または支持ができる。
【００１８】
立て具本体に固定する手段は、山形鋼で形成された立て具本体が挿通可能な挿通部及び棒状体で形成された立て具本体が挿通可能な挿通部を含み、各挿通部は共用する部分を有するので、各挿通部を別々に独立して設ける場合と比較してよりコンパクトに形成することができる。なお、各挿通部には、山形鋼で形成された立て具本体か棒状体で形成された立て具本体が択一的に挿通される。
また、立て具本体を直接地中に打ち込んで使用する場合は、例えば、設置箇所が山形鋼では刺さりにくいような地面である場合、立て具本体をそのような地面でも刺さりやすく固定しやすい棒状体に取り替えるなど、現場の状況に対応した固定ができるようになる。
【００１９】
釣竿立て具構成部材は、釣竿の基端部と中間部を保持または支持する箇所を適宜設定することができるので、釣竿の大きさや種類などに合わせて最も好適な間隔で釣竿を保持または支持することができる。従って、魚が掛かって釣竿に力が加わったときにも、保持または支持部に無理な力がかかりにくく、釣竿が傷付いたり破損することを防止できる。
【００２０】
（第４の発明の作用）
釣竿を保持または支持する手段に、釣竿が接触することによる釣竿の損傷を防止する手段を有するものでは、保持または支持手段の内部で釣竿が転がったり動いたり強く当たったりしても、釣竿に傷が付くことを防止できる。
【００２１】
（第５の発明の作用）
釣竿を保持または支持する手段が、立て具本体に固定する手段に着脱可能であるものでは、釣竿を保持または支持する手段を、使用する釣竿の太さに合わせる場合でも、釣竿立て具構成部材ごと交換する必要はなく、サイズの異なる釣竿を保持または支持する手段を用意しておき、それだけを交換すればよいので、無駄がなく効率がよい。
【００２２】
（第６の発明の作用）
釣用発信機を着脱可能に取り付ける手段を備えたものでは、釣用発信機は釣竿立て具に取り付ければよく、釣竿に取り付ける必要はない。
従って、魚が掛かったときなど釣竿を釣竿立て具から取り外して操作すれば、釣用発信機が邪魔にならないので、作業性を損なうことがなく、釣用発信機の破損も起こりにくい。また、釣用発信機を使用する釣りにおいて、釣用発信機を釣竿に直接取り付ける場合と相違して、釣竿に加工を施したり取着補助具を取り付ける必要はなく、これにより釣竿に傷が付くこともない。
【００２３】
（第７、第９の発明の作用）
第６の発明に係る釣竿立て具構成部材を使用した釣竿立て具によれば、杭部材を地面に打ち込んで固定した状態で立て具本体の角度を調整できる。また、支点の部分の位置を調整することができるので、釣竿を保持または支持するときのバランスがとりやすい。
また、第１の発明に係る釣竿立て具構成部材と同様に、立て具本体に固定する手段は、山形鋼用の挿通部及び棒状体用の挿通部が共用する部分を有するので、各挿通部を別々に独立して設ける場合と比較してよりコンパクトに形成することができる。
【００２４】
【発明の実施の形態】
本発明の実施の形態を図面に基づき更に詳細に説明する。
図１は本発明に係る釣竿立て具構成部材である先部支持具の第１の実施の形態を示す斜視図、
図２は図１に示す先部支持具の縦断面図、
図３は本発明に係る釣竿立て具構成部材である基部保持具の第１の実施の形態を示す斜視図、
図４は図３に示す基部保持具の縦断面図、
図５は本発明に係る釣竿立て具構成部材である角度調整具の一実施の形態を示す分解斜視図、
図６は本発明に係る釣竿立て具構成部材を使用した釣竿立て具の第１の実施の形態を示す斜視図である。
【００２５】
図１、図２を参照して先部支持具の構造を説明する。
先部支持具Ａ１は、立て具本体に固定する手段を構成する金属製の固定ブロック１と、固定ブロック１に固着してあり釣竿を保持する手段を構成する金属製の保持体２を備えている。
固定ブロック１は、上面１０側が凹んで形成されており、下面１１側の中央部には突出部１２が設けてある。
【００２６】
固定ブロック１には、前面１３と後面１４を貫通して正面視Ｖ字形の山形鋼挿通部１５が設けてある。
山形鋼挿通部１５の中央上部には、正面視円弧状の丸棒挿通部１５０が設けてある。これにより、山形鋼挿通部１５と丸棒挿通部１５０は共用する部分を有する構造となっている。山形鋼挿通部１５の中央下部には、中央溝１５１が前後方向の全長にわたり設けてある。中央溝１５１は、山形鋼の角部先端の収まりをよくするためのものである。
【００２７】
固定ブロック１の側面１６、１７には、それぞれ二箇所に山形鋼挿通部１５に向け貫通するネジ孔１７０が並設してある。ネジ孔１０の中間部下側には、同じく山形鋼挿通部１５へ向け貫通するロッド固定孔１７１が設けてある。このロッド固定孔１７１は、釣用発信機９を取り付ける取付台具９０（図７参照）のロッドを挿通し固定するためのものである。
また、前面１３の下部には、各ロッド固定孔１７１へ向け貫通するネジ孔１３０が二箇所に設けてある。
【００２８】
下面１１のうち突出部１２の傾斜部には、山形鋼挿通部１５へ向け貫通するネジ孔１１０が両側のそれぞれ二箇所に並設してある。
なお、上記各ネジ孔１１０、１３０、１７０には、止めネジ（図示省略）がねじ込まれて使用される。
【００２９】
上記保持体２は、板体で正面視Ｕ字状に形成してあり、固定ブロック１の上面１０に溶接されている。保持体２の両側上端部は外側へやや湾曲させてある。
なお、本実施の形態の保持体２は、内面側が平滑であるが、内面側にウレタンスポンジや面ファスナーの接着面側などのクッション性または柔軟性を有する材料を設けてもよい。この場合は、釣竿が保持体２内で動いても、傷付くことを防止できる。
【００３０】
図３、図４を参照して基部保持具の構造を説明する。
基部保持具Ｂ１は、立て具本体に固定する手段を構成する金属製の固定ブロック１ａと、固定ブロック１ａに固着してあり釣竿を保持する手段を構成する金属製の保持体３を備えている。
固定ブロック１ａは、上面１０側が凹むように、正面視でほぼＶ字状に形成してある。
【００３１】
固定ブロック１ａには、前面１３と後面１４を貫通して正面視Ｖ字形の山形鋼挿通部１５が設けてある。
山形鋼挿通部１５の中央上部には、正面視円弧状の丸棒挿通部１５０が設けてある。これにより、山形鋼挿通部１５と丸棒挿通部１５０は共用する部分を有する構造となっている。山形鋼挿通部１５の中央下部には、中央溝１５１が前後方向の全長にわたり設けてある。
【００３２】
固定ブロック１の傾斜した底面１１ａには、それぞれ山形鋼挿通部１５に向け貫通するネジ孔１１０、１１１が上下に設けてある。ネジ孔１１０、１１１は奥行き方向にそれぞれ二箇所ずつ設けてある。なお、上記各ネジ孔１１０、１１１には、止めネジ（図示省略）がねじ込まれて使用される。
【００３３】
上記保持体３は、円筒状に形成してある。保持体３の一端側には板状のストッパー３０が掛け渡して設けてある。保持体３は、長さ方向のほぼ中央部を溶接して、固定ブロック１ａの上面１０に固着されている。
なお、保持体３の内面には、上記保持体２と同様に、クッション性または柔軟性を有する材料を設けてもよい。
【００３４】
図５を参照して角度調整具の構造を説明する。なお、図面において、上記先部支持具Ａ１、基部保持具Ｂ１と同一または同等箇所には同一の符号を付して示しており、同様の構造については説明を省略する。
角度調整具Ｃ１は、立て具本体６に固定する固定具４と、杭部材７に固定する台具４ａと、固定具４と台具４ａを締め付け固定する締付具５により構成してある。
固定具４と台具４ａは、それぞれ固定ブロック１ａと、ネック４４と、調整板４０からなる。
【００３５】
固定具４を構成している固定ブロック１ａは、上記基部保持具Ｂ１の固定ブロック１ａと同じ構造である。固定ブロック１ａの底部中央にはネック４４が設けてあり、その先端部には円形の調整板４０が設けてある。調整板４０の中心部には表裏面を貫通したネジ孔４１が設けてある。調整板４０の片面側には、ネジ孔４１を中心として放射方向に係合突条４２が設けてある。係合突条４２は、全面にわたり周方向へ多数設けてある。
【００３６】
台具４ａを構成している固定ブロック１ａも、同じく上記基部保持具Ｂ１の固定ブロック１ａと同じ構造である。固定ブロック１ａの上面１３（基部保持具Ｂ１の固定ブロック１ａでは前面１３にあたる）の中央にはネック４４が設けてあり、その先端部には円形の調整板４０が設けてある。なお、図５においては山形鋼挿通部１５と丸棒挿通部１５０の上面１３側は開口しているが、塞いでもよい。
調整板４０の中心部には表裏面を貫通した挿通孔４３が設けてある。調整板４０の片面側には、挿通孔４３を中心として放射方向に係合突条４２が設けてある。係合突条４２は、全面にわたり周方向へ多数設けてある。
【００３７】
締付具５は、軸体５０を有している。軸体５０の先端側にはネジ部５１が設けてある。軸体５０の中間部にはやや径大の押圧部５２が設けてある。軸体５０の基端側にはやや径大の基部５３が設けてある。基部５３には、直径線上に貫通して挿通孔５４が設けてある。挿通孔５４には両端部が太くなったハンドル５５がスライド可能に挿通してある。
【００３８】
そして、角度調整具Ｃ１は、固定具４と台具４ａの係合突条４２が設けられている面を合わせ、締付具５のネジ部５１を台具４ａの挿通孔４３を通り固定具４のネジ孔４１に螺合して締め付けることにより組み立てられている。
なお、固定具４と台具４ａの係合突条４２を周方向へ互いにずらして係合させることにより、固定具４に取り付けられる立て具本体６は、係合突条４２のピッチで角度調整が可能である。
【００３９】
図６を参照して、先部支持具と基部保持具及び角度調整具を使用した釣竿保持具の構造を説明する。
釣竿保持具Ｄ１は、立て具本体６、先部支持具Ａ１、基部保持具Ｂ１及び角度調整具Ｃ１及び杭部材７を備えている。
釣竿保持具Ｄ１は、次のようにして組み立てられる。まず、山形鋼でつくられた立て具本体６の中央部に角度調整具Ｃ１を固定する。なお、角度調整具Ｃ１の固定位置は立て具本体６の中央部に限定されるものではなく、先部側でもよいし基部側でもよい。
角度調整具Ｃ１は、固定具４の固定ブロック１ａの山形鋼挿通部１５に立て具本体６を挿通し、ネジ孔１１０、１１１にネジ込まれている止めネジを締め付けて固定する。
【００４０】
次に、先部支持具Ａ１を立て具本体６の先端部に、基部保持具Ｂ１を立て具本体６の基端部に同様にして固定する。
角度調整具Ｃ１の台具４ａの固定ブロック１ａには、山形鋼でつくられた杭部材７が固定される。固定ブロック１ａの山形鋼挿通部１５に杭部材７の一端部を挿通し、ネジ孔１１０、１１１にネジ込まれている止めネジを締め付けて固定する。なお、杭部材７の他端側は尖らせてある。
【００４１】
（作用）
図７は図６に示す釣竿立て具の使用状態を示す斜視説明図である。図１ないし図７を参照して釣竿保持具の使用方法及び作用を説明する。
釣竿８を釣竿立て具Ｄ１に取り付ける手順は次のとおりである。
まず、杭部材７を設置箇所の地中に打ち込み、釣竿立て具Ｄ１を固定する。立て具本体６の角度を適宜調整する。
【００４２】
釣竿８の基端部を基部保持具Ｂ１の保持体３に差し込み、中間部（釣竿の基端部と先端部の間の部分）を先部支持具Ａ１の保持体２に嵌め入れて載置する。
なお、基部保持具Ｂ１や先部支持具Ａ１は、立て具本体６に着脱可能であるので、様々なサイズの保持部２、３を有する保持具を設定しておくことにより、必要に応じてサイズが異なる保持具に取り替えることが可能であり、釣竿８の大きさや種類の違いに対応したより確実な保持ができる。
【００４３】
次に、魚が掛かったら報知信号を発信する釣用発信機９を釣竿立て具Ｄ１に取り付ける。取り付けの具体的な構造を図７を参照して説明する。
まず、釣竿８に設けてあるスピニングリール８０から引き出した釣糸８１を釣用発信機９のトリガーを構成するフック９１に掛ける。そして、魚が掛かって釣糸８１に張力がかかると、フック９１が引かれ、釣用発信機９から信号が発信されて使用者に報知する。
【００４４】
釣竿立て具Ｄ１を使用することによって、釣用発信機９は従来のように釣竿８に直接取り付ける必要はない。従って、魚が掛かったときなど、釣竿８を釣竿立て具Ｄ１から取り外して操作する際に釣用発信機９が邪魔にならず、作業性を損なうことがない。また、釣用発信機９を取り付けるために釣竿８に加工を施したり取着補助具を取り付ける必要がなく、これにより傷が付くこともない。
【００４５】
なお、釣竿８をネジなどの固定手段によって基部保持具Ｂ１や先部支持具Ａ１に固定すれば、釣竿８が風などによって動いたりガタついたりあるいは回転したりすることがない。従って、釣用発信機９と釣竿８との相対的な位置がずれることがなく、微妙な感度で調整される釣用発信機９の調整が狂ってしまうことを防止できる。従って、釣用発信機９の感度が安定し、誤作動が起こりにくくなる。
【００４６】
また、基部保持具Ｂ１と先部支持具Ａ１とは、立て具本体６に沿って固定位置を変えることができ、互いの間隔を調整することができる。
従って、釣竿８の大きさや種類などに合わせて最も好適な間隔で釣竿８を受けることができ、魚が掛かって釣竿８に応力が発生したときにも、各保持具と接触する部分に無理な力がかかりにくく、釣竿８が傷付いたり破損することを防止できる。
【００４７】
釣用発信機９を取り付ける取付台具９１としては、図に示すボックスにロッドを備えたものに限定されるものではない。例えば、▲１▼円管状体に丸棒で形成されたＬ型の腕部材が固着してあり、釣用発信機はクリップを備えた構造で、このクリップで円管状体を挟むことによって固定されるようにしたもの、▲２▼上記した▲１▼の円管状体にリールシートを備え、釣用発信機にはリールシートに装着可能な部材が設けてあるもの、▲３▼四角形の平板に腕部材が固着してあり、釣用発信機を面ファスナーで取り付けるようにしたものなどがある。
【００４８】
図８は本発明に係る釣竿立て具構成部材を使用した釣竿立て具の第２の実施の形態を示す斜視図である。なお、図面において、上記釣竿立て具Ｄ１と同一または同等箇所には同一の符号を付し、同様の構造については説明を省略する。
【００４９】
釣竿立て具Ｄ２は、立て具本体６ａと杭部材７ａが丸棒で形成されている。立て具本体６ａは角度調整具Ｃ１の固定具４に設けてある固定ブロック１ａの丸棒挿通部１５０に挿通され固定してある。また、杭部材７ａは台具４ａの固定ブロック１ａの丸棒挿通部１５０に挿通され固定してある。
なお、立て具本体と杭部材を六角棒や四角棒などの角棒で形成し、挿通部もその形状に合うように断面六角状や四角状に形成すれば、角棒の軸周方向の回転がなくなるので、ネジによる固定がより確実にできる利点がある。また、丸棒挿通部１５０に上記のような角棒を挿入して固定することも可能である。
【００５０】
図９は本発明に係る釣竿立て具構成部材である先部支持具の第２の実施の形態を示す斜視図、
図１０は図９に示す先部支持具の正面図である。なお、図面において、上記先部支持具Ａ１と同一または同等箇所には同一の符号を付して示し、同様の構造については説明を省略する。
【００５１】
先部支持具Ａ２は、固定ブロック１とその上面部１０の底部（中央の曲面部分）に下端部が溶接されている保持部２ａを備えている。保持部２ａは変形可能な金属でほぼＶ字状に形成してある。保持部２ａの両側には、それぞれ角度が異なる傾斜部２０、２１を有している。下側の傾斜部２０は傾斜が緩やかで、上側の傾斜部２１は傾斜が急である。また、保持部２ａの幅は、上記保持部２の幅より狭く形成してあり、剛性を弱めて弾性変形がしやすいようになっている。
そして、両側の傾斜部２０、２１は、釣竿の損傷を防止する手段である熱収縮性のチューブ２３で被覆してある。なお、保持部２ａは下端部の一部で溶接してあるので、保持部２ａのほぼ全体にチューブ２３を被せることができる。
【００５２】
この構造によると、断面円形状の釣竿８が載置されたときに、傾斜部２０、２０または傾斜部２１、２１の二点で確実に保持され、しかもその二点間で弾性力によって挟まれるので、釣竿８の保持がより確実にできる。
また、保持部２ａの両側の傾斜部２０、２１間の間隔は、例えばペンチなどで変形させることにより調整が可能である。これにより、太さの違う釣竿にも対応させることができる。なお、これについては、上記先部支持具Ａ１の保持部２も同様である。
更に、チューブ２３はプラスチック製で若干の柔軟性を有するので、釣竿８が保持部２ａ内で動いても、釣竿８に傷が付くことを防止することができる。
【００５３】
図１１は本発明に係る釣竿立て具構成部材である先部支持具の第３の実施の形態を示す斜視図である。図面において、上記先部支持具Ａ２と同一または同等箇所には同一の符号を付して示し、同様の構造については説明を省略する。
先部支持具Ａ３は、保持体２ｂが固定ブロック１ｂに着脱可能である。固定ブロック１ｂは、上面１０の曲面状となった中央部の二箇所にネジ孔１８が設けてある点を除いて上記固定ブロック１の構造と同じである。なお、ネジ孔１８は丸棒挿通部１５０まで貫通しているが、貫通させなくてもよい。
【００５４】
保持体２ｂは、取付座部２４を有している。取付座部２４は、曲面状となった上面１０の中央部の形状に合うように（密着できるように）、いわば割竹状に形成されている。取付座部２４には、上記ネジ孔１８に対応して二箇所に挿通孔２５が設けてある。挿通孔２５は、皿ネジ用にざぐりが施してある。また、取付座部２４には、先部支持具Ａ２のものと同様の傾斜部２０、２１が設けてある。傾斜部２０、２１の表面には、釣竿の損傷を防止する手段であるゴム層２２がコーティングしてある。
そして、保持体２ｂは、固定ブロック１ｂにネジ２６によって着脱可能に固定してある。
【００５５】
この構造によると、上記先部支持具Ａ２の作用に加えて、保持体２ａを、使用する釣竿の太さに合わせる場合でも、先部補記具Ａ３ごと交換する必要はなく、サイズの異なる保持体２ａを用意しておき、保持体２ａだけを交換すればよいので、無駄がなく効率がよい。
【００５６】
図１２は本発明に係る釣竿立て具構成部材である基部保持具の第２の実施の形態を示す斜視図、
図１３は図１２に示す基部保持具の使用状態を示す斜視説明図である。なお、図面において、上記基部保持具Ｂ１と同一または同等箇所には同一の符号を付して示し、同様の構造については説明を省略する。
【００５７】
基部保持具Ｂ２は、固定ブロック１ｃと金属製の棒体を曲げて形成された保持部３ｃを有している。
固定ブロック１ｃは、上記固定ブロック１ａとほぼ同様の構造であるが、上面１０ｃが曲面状である点が相違している。上面１０ｃには釣竿８の基部が載置される。
【００５８】
保持部３ｃは、前部側に下側が開放された半円状に形成された前部係止部３１を有している。前部係止部３１の後部側は、やや上方へ立ち上げられ横方向へ直線状に形成され、上部係止部３２が設けてある。更に、その後部には、やや低い下部係止部３３が平行に設けてある。
この構造によると、図１２に示すような基端部に回り止めのための係止部８３を有する釣竿８を保持して立てることができる。
【００５９】
本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００６０】
【発明の効果】
本発明は上記構成を備え、次の効果を有する。
（ａ）請求項１記載の釣竿立て具構成部材を使用した釣竿保持具は、釣竿を保持する手段に様々なサイズのものを設定しておくことにより、必要に応じて保持部のサイズが異なる釣竿立て具構成部材に取り替えることが可能である。従って、釣竿の大きさや種類の違いに対応した、より確実な保持ができる。
【００６１】
（ｂ）立て具本体に固定する手段は、山形鋼で形成された立て具本体が挿通可能な挿通部または棒状体で形成された立て具本体が挿通可能な挿通部を含み、各挿通部は共用する部分を有するので、各挿通部を別々に独立して設ける場合と比較してよりコンパクトに形成することができる。
また、立て具本体を直接地中に打ち込んで使用する場合は、例えば、設置箇所が山形鋼では刺さりにくいような地面である場合、立て具本体をそのような地面でも刺さりやすく固定しやすい棒状体に取り替えるなど、現場の状況に対応した固定ができるようになる。
【００６２】
（ｃ）釣竿立て具構成部材は、釣竿の基端部と中間部を保持する箇所を適宜設定することができるので、釣竿の大きさや種類などに合わせて最も好適な間隔で釣竿を保持することができる。従って、魚が掛かって釣竿に力が加わったときにも、保持部に無理な力がかかりにくく、釣竿が傷付いたり破損することを防止できる。
【００６３】
（ｄ）釣竿を保持する手段に、釣竿が接触することによる釣竿の損傷を防止する手段を有するものでは、保持手段の内部で釣竿が転がったり動いたり強く当たったりしても、釣竿に傷が付くことを防止できる。
【００６４】
（ｅ）釣用発信機を着脱可能に取り付けるための手段を備えた釣竿立て具構成部材では、釣用発信機は釣竿立て具に取り付ければよく、釣竿に取り付ける必要はない。
従って、魚が掛かったときなど釣竿を釣竿立て具から取り外して操作すれば、釣用発信機が邪魔にならないので、作業性を損なうことがなく、釣用発信機の破損も起こりにくい。また、釣用発信機を使用する釣りにおいて、釣用発信機を釣竿に直接取り付ける場合と相違して、釣竿に加工を施したり取着補助具を取り付ける必要はなく、これにより釣竿に傷が付くこともない。
【００６５】
（ｆ）釣竿を保持する手段が、立て具本体に固定する手段に着脱可能であるものでは、釣竿を保持する手段を、使用する釣竿の太さに合わせる場合でも、釣竿立て具構成部材ごと交換する必要はなく、サイズの異なる釣竿を保持する手段を用意しておき、それだけを交換すればよいので、無駄がなく効率がよい。
【００６６】
（ｇ）請求項６記載の釣竿立て具構成部材を使用した釣竿保持具によれば、杭部材を地面に打ち込んで固定した状態で立て具本体の角度を調整できる。また、支点の部分の位置を調整することができるので、釣竿を保持するときのバランスがとりやすい。
また、請求項１記載の釣竿立て具構成部材と同様に、立て具本体に固定する手段は、山形鋼用の挿通部及び棒状体用の挿通部が共用する部分を有するので、各挿通部を別々に独立して設ける場合と比較してよりコンパクトに形成することができる。
【図面の簡単な説明】
【図１】本発明に係る釣竿立て具構成部材である先部支持具の第１の実施の形態を示す斜視図。
【図２】図１に示す先部支持具の縦断面図。
【図３】本発明に係る釣竿立て具構成部材である基部保持具の第１の実施の形態を示す斜視図。
【図４】図３に示す基部保持具の縦断面図。
【図５】本発明に係る釣竿立て具構成部材である角度調整具の一実施の形態を示す分解斜視図。
【図６】本発明に係る釣竿立て具構成部材を使用した釣竿立て具の第１の実施の形態を示す斜視図。
【図７】図６に示す釣竿立て具の使用状態を示す斜視説明図。
【図８】本発明に係る釣竿立て具構成部材を使用した釣竿立て具の第２の実施の形態を示す斜視図。
【図９】本発明に係る釣竿立て具構成部材である先部支持具の第２の実施の形態を示す斜視図。
【図１０】図９に示す先部支持具の正面図。
【図１１】本発明に係る釣竿立て具構成部材である先部支持具の第３の実施の形態を示す斜視図。
【図１２】本発明に係る釣竿立て具構成部材である基部保持具の第２の実施の形態を示す斜視図。
【図１３】図１２に示す基部保持具の使用状態を示す斜視説明図。
【符号の説明】
Ａ１  先部支持具
１  固定ブロック
１０  上面
１１  下面
１１０  ネジ孔
１２  突出部
１３  前面
１３０  ネジ孔
１４  後面
１５  山形鋼挿通部
１５０  丸棒挿通部
１５１  中央溝
１６、１７  側面
１７０  ネジ孔
１７１  ロッド固定孔
２  保持体
Ａ２  先部支持具
２ａ  保持部
２０、２１  傾斜部
２３  チューブ
Ａ３  先部支持具
１ｂ  固定ブロック
２ｂ  保持部
２２  ゴム層
２４  取付座部
２５  挿通孔
２６  ネジ
１８  ネジ孔
Ｂ１  基部保持具
１ａ  固定ブロック
３  保持体
３０  ストッパー
１１ａ  底面
１１１  ネジ孔
Ｃ１  角度調整具
４  固定具
４ａ  台具
４０  調整板
４１  ネジ孔
４２  係合突条
４３  挿通孔
４４  ネック
５  締付具
５０  軸体
５１  ネジ部
５２  押圧部
５３  基部
５４  挿通孔
５５  ハンドル
６  立て具本体
Ｄ１  釣竿保持具
７  杭部材
Ｄ２  釣竿立て具
６ａ  立て具本体
７ａ  杭部材
Ａ２  先部支持具
２ａ  保持部
２０、２１  傾斜部
２３  チューブ
Ｂ２  基部保持具
１ｃ  固定ブロック
１０ｃ  上面
３ｃ  保持部
３１  前部係止部
３２  上部係止部
３３  下部係止部
【図１】
0004285893.tif 000002
【図２】
0004285893.tif 000003
【図３】
0004285893.tif 000004
【図４】
0004285893.tif 000005
【図５】
0004285893.tif 000006
【図６】
0004285893.tif 000007
【図７】
0004285893.tif 000008
【図８】
0004285893.tif 000009
【図９】
0004285893.tif 000010
【図１０】
0004285893.tif 000011
【図１１】
0004285893.tif 000012
【図１２】
0004285893.tif 000013
【図１３】
0004285893.tif 000014